(57)【要約】  装置、システム、方法及び物は、いくつかのデータストリームから選択されたデータストリームに係る以前に通信されたデータレートに従って、ビデオストリームプロセッサなどのプロセッサに接続されるようクロックレートを調整するよう動作可能である。
2008503985.tif 000002
【特許請求の範囲】
【請求項１】
選択されたデータストリームに係る以前に通信されたデータレートに従って、前記選択されたデータストリームを処理するためにビデオストリームプロセッサに接続するようクロックレートを調整するステップを有することを特徴とする方法。
【請求項２】
請求項１記載の方法であって、
前記以前に通信されたデータレートは、ソース識別、ソース能力、実際のデータレート、データタイプ及びプロトコルの少なくとも１つに係るデータレートから構成されることを特徴とする方法。
【請求項３】
請求項１記載の方法であって、さらに、
前記ビデオストリームプロセッサに接続するため、ストリーム選択モジュールにおいて前記選択されたデータストリームを受信するステップを有することを特徴とする方法。
【請求項４】
請求項１記載の方法であって、さらに、
前記選択されたデータストリームを含む対応する複数のチューナによって提供される複数のデータストリームを前記ビデオストリームプロセッサに接続するステップを有することを特徴とする方法。
【請求項５】
請求項１記載の方法であって、さらに、
複数のデータストリームに含まれる前記選択されたデータストリームを選択するステップと、
前記ビデオストリームプロセッサに接続するため、前記以前に通信されたデータレートの表示をクロック制御モジュールに提供するステップと、
を有することを特徴とする方法。
【請求項６】
請求項５記載の方法であって、
前記表示は、前記以前に通信されたデータレートを表示するため、少なくとも１ビットを有することを特徴とする方法。
【請求項７】
アクセス時に、マシーンに選択されたデータストリームに係る以前に通信されたデータレートに従って、前記選択されたデータストリームを処理するためビデオストリームプロセッサに接続するため、クロックレートを調整するステップを実行させる関連する情報を有するマシーンアクセス可能な媒体を有する物。
【請求項８】
請求項７記載の物であって、
前記情報は、アクセス時に、マシーンに前記選択されたデータストリームを選択するようテレビ又はセットトップボックスに含まれるホストコントローラソフトウェアを実行するステップを実行させることを特徴とする物。
【請求項９】
請求項７記載の物であって、
前記情報は、アクセス時に、マシーンに所望の電力消費レベルに従って、前記クロックレートを調整するステップを実行させることを特徴とする物。
【請求項１０】
請求項７記載の物であって、
前記情報は、アクセス時に、マシーンに前記以前に通信されたデータレートを決定するため、ルックアップテーブル又はレジスタを有するメモリにアクセスするステップを実行させることを特徴とする物。
【請求項１１】
請求項７記載の物であって、
前記情報は、アクセス時に、マシーンに前記以前に通信されたデータレートを決定するため、前記選択されたデータストリームに係るデータレートを測定するステップを実行させることを特徴とする物。
【請求項１２】
選択されたデータストリームに係る以前に通信されたデータレートに従って、前記選択されたデータストリームを処理するため調整可能なクロックレートを有するビデオストリームプロセッサを有することを特徴とする装置。
【請求項１３】
請求項１２記載の装置であって、さらに、
前記ビデオストリームプロセッサと前記選択されたデータストリームを含む複数のデータストリームとに接続されるストリーム選択モジュールを有することを特徴とする装置。
【請求項１４】
請求項１３記載の装置であって、さらに、
前記ストリーム選択モジュールに接続され、前記選択されたストリームを選択するロジックモジュールを有することを特徴とする装置。
【請求項１５】
請求項１２記載の装置であって、さらに、
前記ビデオストリームプロセッサに接続され、前記クロックレートに係るスピードを有するクロックを提供するクロック制御モジュールを有することを特徴とする装置。
【請求項１６】
請求項１２記載の装置であって、さらに、
前記以前に通信されたデータレートの表示を格納するメモリを有することを特徴とする装置。
【請求項１７】
ディスプレイと、
前記ディスプレイに接続され、選択されたデータストリームに係る以前に通信されたデータレートに従って、前記選択されたデータストリームを処理するため調整可能なクロックレートを有するビデオストリームプロセッサと、
から構成されることを特徴とするシステム。
【請求項１８】
請求項１７記載のシステムであって、さらに、
前記選択されたデータストリームと接続するためのネットワークインタフェースモジュールを有することを特徴とするシステム。
【請求項１９】
請求項１８記載のシステムであって、さらに、
前記ネットワークモジュールに接続され、前記選択されたデータストリームを受信する少なくとも１つのＦＩＦＯメモリを有することを特徴とするシステム。
【請求項２０】
請求項１８記載のシステムであって、
前記ネットワークインタフェースモジュールは、チューニングモジュールを含むことを特徴とするシステム。
【請求項２１】
請求項１７記載のシステムであって、さらに、
前記選択されたデータストリームを含む複数のデータストリームに接続するためのネットワークインタフェースモジュールを有することを特徴とするシステム。
【請求項２２】
請求項２１記載のシステムであって、さらに、
前記ネットワークモジュールに接続され、前記選択されたデータストリームを受信する少なくとも１つのＦＩＦＯメモリを有することを特徴とするシステム。
【請求項２３】
請求項２１記載のシステムであって、
前記ネットワークインタフェースモジュールは、チューニングモジュールを含むことを特徴とするシステム。
【請求項２４】
請求項１７記載のシステムであって、さらに、
前記選択されたデータストリームに接続される全方向性アンテナを有することを特徴とするシステム。
【請求項２５】
請求項１７記載のシステムであって、さらに、
前記ビデオストリームプロセッサに接続され、前記ビデオストリームプロセッサに接続するため、前記以前に通信されたデータレートの表示をクロック制御モジュールに提供する第２プロセッサを有することを特徴とするシステム。
【請求項２６】
請求項１７記載のシステムであって、
前記ディスプレイは、高品位（ＨＤＴＶ）ディスプレイから構成されることを特徴とするシステム。
【請求項２７】
選択されたデータストリームに係る以前に通信されたデータレートに従って、前記選択されたデータストリームを処理するためプロセッサに接続するようクロックレートを調整するステップを有することを特徴とする方法。
【請求項２８】
請求項２７記載の方法であって、
前記以前に通信されたデータレートは、ソース識別、ソース能力、実際のデータレート、データタイプ及びプロトコルの少なくとも１つに係るデータレートから構成されることを特徴とする方法。
【請求項２９】
請求項２７記載の方法であって、さらに、
前記プロセッサに接続されるように、ストリーム選択モジュールにおいて複数の利用可能なデータストリームから前記選択されたデータストリームを選択するステップを有することを特徴とする方法。
【発明の詳細な説明】
【発明の詳細な説明】
【０００１】
［技術分野］
ここで説明される各種実施例は、一般に情報ストリームを処理するのに用いられる装置、システム及び方法を含む情報処理に関する。
【０００２】
［背景情報］
電子装置は、予想最大データレートによる処理のため選択されるスピードにより動作するよう設計されるかもしれない。このような処理は、ビデオシステムにおいてチューナからチューナへの変化が行われるときなど（例えば、チャンネルサーフィン行動中など）、データレートが広範囲に変化するときサブ最適となるかもしれない。このような装置では、システム電力利用は、相対的に低速のデータレートが直面する際に必要とされるより大きくなるかもしれない。
【０００３】
［詳細な説明］
いくつかの実施例では、複数の入力から選択された入力を処理する計算要素のクロック周波数は、おそらく現在選択されている入力に対する選択された最小の処理要求を満たすよう動的に可変とされる。例えば、デジタルビデオシステムでは、おそらくビデオストリームプロセッサを含む単一のトランスポートデマルチプレクサエンジンが、各チューナがそれの受信データストリームに係る異なるレートを有する複数のチューナに共有されるかもしれない。あるチューナから次のチューナに変更されると（例えば、チャンネルサーフィン中など）、デマルチプレクサクロックレートはまた、選択された入力ストリームの処理要求を満たすよう変更されるかもしれない。従って、いくつかの実施例は、共有された処理要素がある時点ではいくつかから選ばれた１つの入力を処理し、選択されなかった入力は処理タイムスロットを待機していない（例えば、複数の入力が時分割多重化されていないときなど）状況において有用であるかもしれない。
【０００４】
ビデオデータストリームに係る装置、システム及び／又は方法の実施例がここに含まれるかもしれないが、他の実施例が実現されてもよいということに留意すべきである。いくつかの実施例は、音声、嗅覚、触覚、味覚、遺伝子配列、意識ストリーム及び／又は遠隔測定データなどを符号化するデータストリームに関連付けされるかもしれない。
【０００５】
本文献の目的のため、「指標」又は「表示」は、以下に限定されるものではないが、バッファ／ストレージ充填レベル、バッファ／ストレージ充填速度の予測、従前のバッファ／ストレージ充填加速レート、ポート又はネットワークにおける混雑レベル、動作周波数、クロックスピード、データトランスポートスピード、データ取得スピード、データ取得スピードの予想される変動、経時的ないくつかのライト処理、経時的な従前のいくつのリード処理などを含むデータストリームに関するあるレベルの処理リソースの使用に関する情報を提供する任意の機構（回路、オブジェクト、ソフトウェア又はハードウェアフラグ、レジスタ、割り込みなど）を意味するかもしれない。
【０００６】
「ストリームプロセッサ」又は「ビデオストリームプロセッサ」は、おそらくビデオデータストリームに係るコンテンツを表示するためのディスプレイに接続される、処理のためビデオデータストリームを受信する任意のタイプのプロセッサ又はコンピュータを含む。具体例として、以下に限定されるものではないが、コンピュータバスに接続可能なビデオグラフィックスカード、携帯ビデオゲーム装置、携帯電話などがあげられる。ストリームプロセッサはまた、処理のため非ビデオストリームデータを受信するかもしれない。
【０００７】
図１は、本発明の各種実施例による装置１００及びシステム１１０のブロック図である。例えば、装置１００は、複数のデータストリーム１２２Ａ〜１２２Ｃから選択されたデータストリーム（ＳＴＲＥＡＭ＿Ａ、ＳＴＲＥＡＭ＿Ｂ、ＳＴＲＥＡＭ＿Ｃのストリームの１つなど）に係る以前に通信されたデータレート１１８に従って調整可能なクロックレートを有するビデオストリームプロセッサ１１４を含むかもしれない。以前に通信されたデータレートは、ストリーム１２２Ａ〜１２２Ｄに関して実現される任意の処理前に、プロセッサ１１４に通信されるデータレートから構成されてもよい。以前に通信されたデータレートはまた、ＳＴＲＥＡＭ＿Ａ、ＳＴＲＥＡＭ＿Ｂ及びＳＴＲＥＡＭ＿Ｃのストリームの連結から構成されるかもしれないストリーム１２２Ｄなどの１つのストリームに関して経時的に変化するかもしれない。
【０００８】
以前に通信されたデータレートの具体例として、ソース識別（ＡＴＳＣチューナなど）、ソース能力（約５ｍｂｉｔｓ／秒までなど）、実際のデータレート（約１１ｍｂｉｔｓ／秒など）、データタイプ（ＤＰＣＭ（Ｄｉｆｆｅｒｅｎｔｉａｌ  Ｐｕｌｓｅ  Ｃｏｄｅ  Ｍｏｄｕｌａｔｉｏｎ）など）及びプロトコル（ＭＰＥＧ−２など）の１以上に係るデータレートがあげられる。ＭＰＥＧ（Ｍｏｖｉｎｇ  Ｐｉｃｔｕｒｅ  Ｅｘｐｅｒｔｓ  Ｇｒｏｕｐ）−２フォーマットに関するさらなる情報については、“Ｇｅｎｅｒｉｃ  Ｃｏｄｉｎｇ  ｏｆ  Ｍｏｖｉｎｇ  Ｐｉｃｔｕｒｅｓ  ａｎｄ  Ａｓｓｏｃｉａｔｅｄ  Ａｕｄｉｏ  Ｉｎｆｏｒｍａｔｉｏｎ，ＭＰＥＧ−２  Ｉｎｔｅｒｎａｔｉｏｎａｌ  Ｓｔａｎｄａｒｄ，ＩＳＯ／ＩＥＣ  ＪＴＣ１／ＳＣ２９／ＷＧ１１，Ｎｏｖｅｍｂｅｒ  １９９４”及び以降のバージョン及び／又は他のソースを参照されたい。
【０００９】
ビデオストリームプロセッサ１１４は、おそらくビデオストリームプロセッサ１１４に接続されたストリーム選択モジュール１２６及び／又はネットワークインタフェースモジュール（ＮＩＭ）１２４によって選択されるように、選択されたストリーム（ＳＴＲＥＡＭ＿Ａなど）を処理するよう動作可能である。ストリーム選択モジュール１２６はまた、選択されたデータストリーム（ＳＴＲＥＡＭ＿Ａなど）を含む複数のデータストリーム１２２に接続可能であり、当業者に既知である複数のスイッチ（図示せず）を含むものであってもよい。例えば、ＳＴＲＥＡＭ＿Ａは、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）チューナによって提供され、ＳＴＲＥＡＭ＿Ｂは、衛星フィードチューナによって提供され、ＳＴＲＥＡＭ＿Ｃは、さらなる他のトランスポートストリームソース（インターネットプロトコル、デジタルビデオなど）によって提供されるかもしれない。デジタルテレビ規格を含むＡＴＳＣ規格に関するさらなる情報については、“ＡＴＳＣ  Ｓｔａｎｄａｒｄ  Ａ／５３（１９９５）：ＡＴＳＣ  Ｄｉｇｉｔａｌ  Ｔｅｌｅｖｉｓｉｏｎ  Ｓｔａｎｄａｒｄ，Ａｄｖａｎｃｅｄ  Ｔｅｌｅｖｉｓｉｏｎ  Ｓｙｓｔｅｍｓ  Ｃｏｍｍｉｔｔｅｅ，Ｗａｓｈｉｎｇｔｏｎ，Ｄ．Ｃ．，１９９４”と共にそれの修正を参照されたい。
【００１０】
いくつかの実施例では、装置１００は、ストリームの１つ（ＳＴＲＥＡＭ＿Ａなど）を選択するため、ストリーム選択モジュール１２６に接続可能なロジックモジュール１３０を有するようにしてもよい。クロック制御モジュール１３４は、ビデオストリームプロセッサ１１４のクロックレートに係るスピードを有するクロックＣＬＫを提供するため、ビデオストリームプロセッサ１１４に接続されてもよい。装置１００はまた、選択されたデータストリームの１以上の以前に通信されたデータレートの表示ＩＮＤを格納するメモリ１３８を有するようにしてもよい。他の実施例が実現されてもよい。
【００１１】
例えば、システム１１０は、上述された装置１００と同一又は類似の装置、ビデオストリームプロセッサ１１４に直接的又は間接的に（バス及び／又は独立したプロセッサなど）接続可能なディスプレイ１５０、及び／又は物理データストリーム１２２Ｄに直接的又は間接的に接続可能なアンテナ１７６を有するかもしれない。アンテナ１７６は、全方向性アンテナ、パッチアンテナ、ダイポールアンテナ、一方向性アンテナ、赤外線送信機、赤外線受信機、光エミッタ及びレセプタ、及びＣＣＤ（Ｃｈａｒｇｅ−Ｃｏｕｐｌｅｄ  Ｄｅｖｉｃｅ）の１以上から選択されてもよい。ディスプレイ１５０は、高品位テレビ（ＨＤＴＶ）ディスプレイから構成されてもよい。
【００１２】
いくつかの実施例では、システム１１０はさらに、選択されたデータストリーム（ＳＴＲＥＡＭ＿Ａなど）を含む複数のデータストリーム１２２Ａ、１２２Ｂ及び／又は１２２Ｃに接続するため、ネットワークインタフェースモジュール（ＮＩＭ）１５４を有するようにしてもよい。いくつかの実施例では、ＮＩＭ１５４は、複数の論理データストリーム（ＳＴＲＥＡＭ＿Ａ、ＳＴＲＥＡＭ＿Ｂ及びＳＴＲＥＡＭ＿Ｃのストリームの連結など）から構成される物理データストリーム１２２Ｄに接続可能である。ＮＩＭ１５４は、１以上のチューニングモジュール１６０を有するようにしてもよい。いくつかの実施例では、システム１１０はまた、おそらくＮＩＭ１５４に接続され、選択されたデータストリーム（メモリ１６４Ａを介したＳＴＲＥＡＭ＿Ａなど）を含むデータストリーム１２２の１以上を受信するのに使用される１以上のＦＩＦＯ（Ｆｉｒｓｔ−Ｉｎ  Ｆｉｒｓｔ−Ｏｕｔ）メモリ１６４（１６４Ａ、１６４Ｂ、１６４Ｃなど）を有するようにしてもよい。
【００１３】
システム１１０は、ビデオストリームプロセッサ１１４に接続可能な第２のプロセッサ１６８を有するようにしてもよい。第２プロセッサ１６８は、ビデオストリームプロセッサ１１４に接続可能なクロック制御モジュール１３４に１以上の以前に通信されたデータレート１１８の表示ＩＮＤを提供するのに使用されてもよい。
【００１４】
装置１００、システム１１０、ビデオストリームプロセッサ１１４、データストリーム１２２Ａ、１２２Ｂ、１２２Ｃ、１２２Ｄ、ＳＴＲＥＡＭ＿Ａ、ＳＴＲＥＡＭ＿Ｂ及びＳＴＲＥＡＭ＿Ｃ、ストリーム選択モジュール１２６、ロジックモジュール１３０、クロック制御モジュール１３４、メモリ１３８、ディスプレイ１５０、ＮＩＭ１５４、チューニングモジュール１６０、ＦＩＦＯメモリ１６４、プロセッサ１６８、全方向性アンテナ１７６、以前に通信されたデータレート１１８及び表示ＩＮＤはすべて、ここでは「モジュール」として特徴付けされるであろう。このようなモジュールは、本発明の各種実施例の実現に適した装置１００及びシステム１１０の構成によって所望されるようなハードウェア回路、１以上のプロセッサ及び／又はメモリ回路、オブジェクト、オブジェクトの集合、ファームウェア及びこれらの組み合わせを含むソフトウェアプログラムモジュールを含むかもしれない。
【００１５】
各種実施例の装置及びシステムは、テレビ及び又はネットワーク接続された表示システム用以外の用途に利用可能であり、従って、各種実施例はこれに限定されないということが理解されるべきである。装置１００及びシステム１１０の説明は、各種実施例の構成の全体的な理解を提供するためのものであり、それらはここで説明される構成を利用可能な装置及びシステムのすべての要素及び特徴の完全な記載として使用されることを意図していない。
【００１６】
各種実施例の新規な装置及びシステムを含むアプリケーションは、高速コンピュータ、通信信号処理回路、モデム、プロセッサモジュール、埋め込みプロセッサ、データスイッチ、マルチレイヤマルチチップモジュールを含むアプリケーション向けのモジュールに使用される電子回路を含む。このような装置及びシステムはさらに、テレビ、携帯電話、パーソナルコンピュータ、携帯情報端末（ＰＤＡ）、ワークステーション、ラジオ、ビデオプレーヤー、車両などの各種電子システム内のサブコンポーネントとして含まれるかもしれない。
【００１７】
図２は、本発明の各種実施例によるいくつかの方法を示すフローチャートである。従って、いくつかの実施例では、方法２１１は、（任意的には）ブロック２２１において、ビデオストリームプロセッサに接続可能なストリーム選択モジュールにおいて選択されたデータストリームを受信することにより開始されるかもしれない。従って、方法２１１は、ブロック２２５において、おそらく対応する複数のチューナによって提供される複数のデータストリーム（選択されたデータストリームを含む）をビデオストリームプロセッサに接続することを含むかもしれない。
【００１８】
いくつかの実施例では、方法２１１は、ブロック２２９において、選択されたデータストリームの１以上の以前に通信されたデータレートを決定することを含むかもしれない。例えば、以前に通信されたデータレートの１以上を決定することは、ブロック２３３において、１以上のレジスタ及び／又はルックアップテーブルを有するメモリにアクセスすることによって行われるかもしれない。同様に、ブロック２３３において、以前に通信されたデータレートの１以上を決定することは、選択されたデータストリームに係るデータレートを測定することを含むかもしれない。何れかで述べたように、以前に通信されたデータレートは、ソース識別、ソース能力、実際のデータレート、データタイプ及びプロトコルの１以上に係るレートから構成されるかもしれない。
【００１９】
いくつかの実施例では、方法２１１は、ブロック２３７において、複数のデータストリームに含まれる選択されたデータストリームを選択することを含むかもしれない。例えば、選択されたデータストリームの選択は、ブロック２４１において、テレビ及び／又はセットトップボックスに含まれるホストコントローラソフトウェアを実行することによって行われてもよい。
【００２０】
方法２１１は、ブロック２４５において、クロック制御モジュールに以前に通信されたデータレートの１以上の表示をビデオストリームプロセッサに提供することを含むものであってもよく、クロック制御モジュールは次に接続されるようにしてもよい。
【００２１】
方法２１１はさらに、ブロック２４９において、ビデオストリームプロセッサに接続されるようにするため、クロックレートを調整することを含むものであってもよい。クロックレートは、選択されたデータストリームに係る１以上の以前に通信されたデータレートに従って調整可能である。クロックレートは、おそらく所望される電力消費レベルに従って、又は選択されたデータストリームの最大データレートをサポートするためなど、いくつかの理由により調整されてもよい。例えば、ブロック２４９において、方法２１１は、選択されたデータストリームに係る少なくとも１つの以前に通信されたデータレートに従って、選択されたデータストリームを処理するビデオストリームプロセッサを含むプロセッサに接続されるクロックレートの調整を含むようにしてもよい。上述されたように、方法２１１は、プロセッサに接続されるように、ストリーム選択モジュールにおいて複数の利用可能なデータストリームから選択されたデータストリームを選択することを含むかもしれない（ブロック２３７を参照せよ）。
【００２２】
ここで説明される方法は、記載された順序により、又は何れかの順序により実行される必要はないということに留意すべきである。さらに、ここで特定される方法に関して記載された各種動作は、シリアル、パラレル又は繰り返しの方法により実行可能である。本文献のため、「情報」及び「データ」という用語は、相互に交換可能に使用されるかもしれない。パラメータ、コマンド、オペランド並びに各種フォーマット（時分割、マルチプルアクセスなど）及び各種タイプ（バイナリ、英数字、音声、ビデオなど）によるデータを含む他のデータを含む情報は、１以上の搬送波の形式により送受信することが可能である。
【００２３】
本開示の内容を参照及び理解すると、当業者は、ソフトウェアプログラムが、当該ソフトウェアプログラムに規定される機能を実行するためコンピュータベースシステムのコンピュータ可読媒体から実行可能な方法を理解するであろう。当業者はさらに、ここで開示された方法を実現及び実行するよう構成された１以上のソフトウェアプログラムを生成するのに利用可能な各種プログラミング言語を理解するであろう。当該プログラムは、Ｊａｖａ（登録商標）やＣ＋＋などのオブジェクト指向言語を利用したオブジェクト指向フォーマットにより構成されてもよい。あるいは、当該プログラムは、アセンブリ又はＣなどの手続き型言語を利用した手続指向フォーマットにより構成可能である。ソフトウェアコンポーネントは、リモートプロシージャコールを含むプロセス間通信技術又はアプリケーションプログラムインタフェースなど、当業者に周知ないくつかの機構の何れかを利用して通信可能である。各種教示は、何れか特定のプログラミング言語又は環境に限定されるものではない。従って、図３に示されるような他の実施例が実現されてもよい。
【００２４】
図３は、コンピュータ、メモリシステム、磁気又は光ディスク、他の記憶装置及び／又は任意のタイプの電子装置又はシステムなど、各種実施例による物品３８５のブロック図である。物品３８５は、アクセス時にマシーン（プロセッサ３８７など）に選択されたデータストリームに係る少なくとも１つの以前に通信されたデータレートに従って、選択されたデータストリームを処理するビデオストリームプロセッサに接続されるように、クロックレートを調整するなどのアクションを実行される関連する情報３９１（コンピュータプログラム命令及び／又は他のデータなど）を有するメモリ３８９（電気、光又は電磁気コンダクタを含むメモリなど）などのマシーンアクセス可能な媒体に接続されるプロセッサ３８７を有するようにしてもよい。他の動作は、選択されたデータストリームを選択するため、テレビ又はセットトップボックスに含まれるホストコントローラソフトウェアの実行と、データストリームの１以上の以前に通信されたデータレートを決定するため、ルックアップテーブル又はレジスタを有するメモリへのアクセス（及び／又は選択されたデータストリームに係るデータレートの測定）を含むようにしてもよい。さらなる動作は、所望の電力消費レベルに従ってクロックレートを調整することを含むかもしれない。
【００２５】
ここに記載される装置、システム及び方法の実現は、チャンネルサーフィン動作中に直面するような各種ストリーミング入力からのデータレートの広範な変化に調整可能なスケーラブルなパフォーマンス及び電力使用を有するシステムをもたらすかもしれない。各種装置のエネルギー効率性は、熱の除去に係るシステムコストの低減（ファン、ヒートシンクなど）と共に向上するかもしれない。
【００２６】
これの一部を構成する添付された図面は、限定するものではなく例示的に、主題が実践可能となる具体的な実施例を示す。例示された実施例は、当業者がここに開示される教示を実践することを可能にするのに十分な詳細さにより説明される。構造的及び論理的置換及び変更が本開示の範囲から逸脱することなく可能となるように、他の実施例が利用及びそれから派生可能である。従って、本詳細な説明は、請求項が付与される均等の全範囲と共に、添付された請求項によってのみ規定される。
【００２７】
本発明の主題のこのような実施例は、ここでは単に便宜上及び複数のものが実際に開示されている場合には、本出願の範囲を何れか１つの発明又は発明概念に自発的に限定することなく、「発明」という用語によって個別的及び／又は集合的に参照されるかもしれない。従って、具体的な実施例がここで例示及び説明されたが、同一の目的を達成するため考案される何れかの構成が示された具体的実施例に置換可能であるということが理解されるべきである。本開示は、各種実施例の何れか及びすべての適応又は変形をカバーするものである。上記実施例とここで具体的に開示されていない他の実施例の組み合わせは、上記記載を参照することにより当業者に明らかであろう。
【００２８】
本開示の要約は、読者が技術的開示の性質を迅速に確認することを可能にする要約を要求する３７Ｃ．Ｆ．Ｒ．§１．７２（ｂ）に従うよう提供される。それは、請求項の範囲又は意味を解釈又は限定するのに利用されるものではないという理解の下で、それは提供されている。さらに、上記詳細な説明では、各種特徴は本開示を簡素化するため１つの実施例にグループ化されることが理解可能である。本開示の方法は、請求された実施例が各請求項に明示的に記載される特徴より多くを必要とする意図を反映するものとして解釈されるべきではない。以下の請求項が反映するように、本発明の主題は、１つの開示された実施例のすべての特徴より少なく存在する。従って、以下の請求項は、各請求項が別の実施例としてそれ自体成立する詳細な説明に含まれる。
【図面の簡単な説明】
【００２９】
【図１】図１は、各種実施例による装置及びシステムのブロック図である。
【図２】図２は、各種実施例によるいくつかの方法を示すフローチャートである。
【図３】図３は、各種実施例による物品のブロック図である。
【図１】
2008503985.tif 000003
【図２】
2008503985.tif 000004
【図３】
2008503985.tif 000005
【国際調査報告】
2008503985.tif 000006
2008503985.tif 000007
2008503985.tif 000008